(57)【要約】【課題】パネル体に通行用の空間部を設けるようにした潜り戸付き開閉装置であっても、開閉体の耐風圧強度を確保し、強風を受けた際の開閉体の破損防止を図る。【解決手段】通行用空間部を備えた潜り戸付き開閉装置において、通行用空間部の上端部が形成されるパネル体の上方部位および通行用空間部の下端部が形成されるパネル体の下方部位には、左右のガイドレール間に位置して補強材をそれぞれ横設した。【選択図】  図５
2010031611.tif 000002
【特許請求の範囲】
【請求項１】
左右方向長尺のパネル体を複数枚上下方向に連結してなる開閉体を、左右に立設したガイドレールで上下昇降案内して躯体開口部を開閉するように構成すると共に、前記開閉体に設けた通行用空間部に開閉自在な扉体を設けた潜り戸付き開閉装置であって、前記通行用空間部の上端部が形成されるパネル体の上方部位および通行用空間部の下端部が形成されるパネル体の下方部位には、左右のガイドレール間に位置して補強材がそれぞれ横設されていることを特徴とする潜り戸付き開閉装置。
【請求項２】
上記補強材は、離間対設する起立辺と、該起立辺の先端部同士を連結した連結辺と、起立辺の基端側をそれぞれ外方に折曲形成した取付辺とで断面略コ字状の長尺材に形成されていることを特徴とする請求項１記載の潜り戸付き開閉装置。
【発明の詳細な説明】
【技術分野】
【０００１】
本発明は、建物の躯体開口部に設置されるシャツター、オーバーヘッドドア等の開閉装置の技術分野に属するものである。
【背景技術】
【０００２】
従来、建物の躯体開口部にシャツターやオーバーヘッドドア等の開閉装置を設け、該開閉装置の開閉体を開閉することで大型物の通過を可能にするようにしたものがある。このようなものにおいて、例えば人が外部から建物内に入ろうとする場合にも開閉体を開放する必要があるため開閉操作が煩わしいばかりか必要以上に大きな開放空間が形成されることとなって空調エネルギーの損失を招くこととなってしまう。そこで、このような事態を回避するため、開閉装置に隣接した躯体部分に袖扉を設けて人の通行時には該袖扉を使用することが行われているが、この場合は躯体部分に袖扉をあらためて設置する必要があり、またそのぶん開閉装置の幅が小さくなってしまうこととなる。
【０００３】
そこで、特開２００７−３２１８９号公報に示されるように開閉体に人が通行可能な大きさの空間部を形成し、該空間部に開閉自在な扉体を設けて潜り戸を形成するようにしたものが提唱されている。  
【特許文献１】特開２００７−３２１８９号公報
【発明の開示】
【発明が解決しようとする課題】
【０００４】
上記したものは、容易に通行空間を得られ省エネ効果も大きいものであるが、開閉体に空間部を設ける結果、その部分での開閉体の耐風圧強度が低下するという新たな課題が生じてきた。
【０００５】
本発明は、上下昇降動して躯体開口部を開閉する開閉体に空間部を形成し、該空間部に開閉自在な扉体を設けて潜り戸を形成するようにしたものでありながら、空間部を形成した部位での耐風圧強度を確保するようにした開閉体を提供するものである。
【課題を解決するための手段】
【０００６】
本発明は、叙述の如き実情に鑑み、これらの課題を解決することを目的として創作されたものであって、左右方向長尺のパネル体を複数枚上下方向に連結してなる開閉体を、左右に立設したガイドレールで上下昇降案内して躯体開口部を開閉するように構成すると共に、前記開閉体に設けた通行用空間部に開閉自在な扉体を設けた潜り戸付き開閉装置であって、前記通行用空間部の上端部が形成されるパネル体の上方部位および通行用空間部の下端部が形成されるパネル体の下方部位には、左右のガイドレール間に位置して補強材がそれぞれ横設されていることを特徴とするものである。
また、上記補強材は、離間対設する起立辺と、該起立辺の先端部同士を連結した連結辺と、起立辺の基端側をそれぞれ外方に折曲形成した取付辺とで断面略コ字状の長尺材に形成されていることを特徴とするものである。
【発明の効果】
【０００７】
請求項に記載の発明により、左右方向長尺のパネル体を複数枚上下方向に連結してなる開閉体を、上下昇降動して躯体開口部を開閉する開閉体に空間部を形成し、該空間部に開閉自在な扉体を設けて潜り戸を形成するようにしたものでありながら、前記空間部の上端部が形成されるパネル体の上方部位と通行用空間部の下端部が形成されるパネル体の下方部位に、断面略コ字状の補強材を横設するのみで空間部を形成した部位での耐風圧強度を確保することができ、強風を受けた際の開閉体の撓み量を可及的に抑制して破損を防止することが出来る。また、補強材は上述した二箇所に設ければよいので、開閉体の重量増加が最小限に抑えられ、開閉操作力に及ぼす影響を極めて少なくすることが出来る。
【発明を実施するための最良の形態】
【０００８】
つぎに、本発明をオーバーヘッドドアに適用した場合の実施の形態を図面に基づいて説明する。
図において、１はオーバーヘッドドアを構成する開閉体であって、該開閉体１は複数のパネル体１ａを蝶番１ｂによって屈曲自在に上下一連状に連結して形成されており、最下端パネル１ａの下端部には該パネル幅全長に亘ってボトム材１ｄが取り付けられている。  また開閉体１の左右両側縁部の上下方向複数箇所には取付ブラケット２が固定され、これら取付ブラケット２にガイドローラ３が軸承されるローラ軸が支持されている。
一方、４は躯体開口部に建て付けられ、前記ガイドローラ３が嵌合案内されるガイドレールであって、該ガイドレール４は開口部両側に沿う垂直レール４ａと天井部に沿う水平レール４ｂとで側面視略Ｌ字状に構成されている。
また、開口部上部には巻装装置５が配設されており、該巻装装置５に基端部が巻装されるワイヤ６の先端部は開閉体１の最下端パネル体１ａに連結され、開閉体１を吊持支持するようになっている。そして、垂直レール４ａに位置して開口部を閉鎖する開閉体１を上方に向けて開放操作することでワイヤ６はワイヤドラム５ａに巻き取られ、これによって開閉体１は、閉鎖姿勢から水平レール４ｂに移動して開口部を開放する開放姿勢に変姿するようになっている。これに対して、開閉体１を開放姿勢から閉鎖姿勢にするには開閉体１を下方に向けて閉操作することでなされ、これによってワイヤ６がワイヤドラム５ａから巻き出され開閉体１は開口部を閉鎖するようになっている。
【０００９】
７は、開閉体１に設けられ潜り戸を構成する扉体であって、該扉体７は開閉体１に人が通行可能な大きさの空間部８を形成し、該空間部８を開閉回動自在な扉体７で閉塞するようにしたものであり以下のように構成されている。
開閉体１を構成する各パネル体１ａは、その幅方向略中央部分を切り欠いて人の通行可能な空間部８を形成すると共に、各パネル体１ａの切欠端面部はそれぞれ塞ぎ部材９で覆うように構成されている。  塞ぎ部材９は、切欠端面に当てがって取り付けられる断面略コ字状の塞ぎ部９ａと、該塞ぎ部９ａの端部から空間部８側に向けて突出形成され扉体７の閉鎖時の衝撃を緩衝する緩衝材を備えた戸当たり部９ｂとで形成されている。また、上下隣接する各パネル体１ａは空間部８側の端部位置で蝶番１ｂによって上下屈曲自在に連結されている。
【００１０】
扉体７は、上記空間部８より僅かに小さい寸法に形成され、開閉体１を構成する各パネル体１ａと同一形状のパネル体１ａ同士を蝶番１ｂによって複数枚上下に屈曲自在に連結して構成されており、該扉体７の屈曲部と開閉体１を構成する各パネル体１ａの屈曲部とが左右方向同一線上に位置するようにして扉体蝶番１１を介して該空間部８に開閉回動自在な状態で嵌装されており、これによって開閉体１の屈曲時に扉体７も同時に屈曲して開閉体１の開閉動作に支障が無いように構成されている。
なお、扉体７の戸先側端面にはフロント部材１０が設けられ、戸尻側端部は扉体蝶番１１を介して開閉体１の各パネル体１ａに固定されているが、フロント部材１０および扉体蝶番１１は扉体７の屈曲部でそれぞれ切断されて扉体７の屈曲に支障が無いように構成されている。  また、１２は扉体７の開閉用把手、１３は扉体７の閉鎖時に開閉体１に設けたラッチ受け９ｃに係止して閉鎖状態を保持するよう出没自在に構成されたラッチである。
【００１１】
このように構成された扉体７は、開閉体１が垂直レール４ａに位置する開口部閉鎖姿勢と水平レール４ｂに位置する開口部開放姿勢との移動過程において開閉体１と共に屈曲姿勢が可能に構成してあるのでスムースな昇降動作を確保することができ、また開閉体１の閉鎖姿勢では扉体７を開放操作することによって空間部８を通じて人の通行が可能となって開閉体１全体を開放する必要がないので、開閉体の内外方向への通行が容易に短時間で行うことができる。
図４は、図１のＡ−Ａ部を示す拡大図であり、図５（Ａ）はその拡大縦断面図である。
図において、パネル体１ａには通行用空間部８の上端部が形成され、該部８は閉鎖状態の扉体７の上部で塞がれている。パネル体１ａは、それぞれ薄板状の鋼板を折曲形成してなる一対の内面板１ｂと外面板１ｃとを組み付けて形成される内部空間に発砲ウレタン等の断熱材Ｄが充填されることによって断熱効果を高めるよう構成されている。
【００１２】
１４は鋼板製の上部補強材であって、該上部補強材１４は、離間対設する起立辺１４ｂ，１４ｂと、該起立辺１４ｂ，１４ｂの先端部同士を連結した連結辺１４ｃと、起立辺１４ｂ，１４ｂの基端側をそれぞれ外方に折曲形成した取付辺１４ａ，１４ａとで断面略コ字状の長尺材に形成されている。
このように構成された上部補強材１４は、通行用空間部８の上端部とパネル体１ａの上端との間に取付辺１４ａ，１４ａを複数個のリベット１５で内面板１ｂに固定することにより左右方向に向けて取り付けられている。
また、上部補強材１４は、その長手方向両端側が、左右ガイドレール４に当接しない長さに設定されている。
【００１３】
なお、１６は、扉体７を閉鎖方向に附勢するドアクローザであり、１７は、扉体７の上方部位で外面板１ｃに取り付けられ下方に向けて傾斜状に突成する水切材で、該水切材１７によって、パネル体１を伝った水滴が扉体７の上端部から内部側に侵入することを防止するようになっている。
上部補強材１４は、図５（Ｂ）に示すようにすることができる。このものは、上述した断面略コ字状の補強材１４を構成する上側の起立辺１４ｂと連結辺１４ｃの内面側に沿って断面略Ｌ字状の補助補強材１４ｄを設けたものであり、この補助補強材１４ｄによって効率的に補強効果を向上させることができる。
【００１４】
図６は、図１のＢ−Ｂ部を示す拡大図であり、図７はそのＹ−Ｙ拡大縦断面図、図８はそのＺ−Ｚ拡大縦断面図である。
図において、開閉体１を構成する下端のパネル体１ａには通行用空間部８の下端部が形成され、該部８は閉鎖状態の扉体７下部で塞がれている。
図７において、下端のパネル体１ａは、上述のパネル体１ａ同様、それぞれ薄板状の鋼板を折曲形成してなる一対の内面板１ｂと外面板１ｃとを組み付けて形成される内部空間に発砲ウレタン等の断熱材Ｄが充填されることによって構成されており、その下端部にアルミ押し出し形材からなるボトム材１ｄが締結部材１ｅを介して連結されている。また、ボトム材１ｄの下端にはゴム等で形成した気密材１ｆが下方に向けて突成されており、開閉体１の全閉時にボトム材１ｄと床面との隙間を封止して気密性を確保するようになっている。
一方、図８に示すように、通行用空間部８の下端部が形成される部位ではボトム材１ｄの上端部にアルミ押し出し形材からなる沓摺り部材１ｇが扉体７の下端面と対向するよう設けられている。
【００１５】
１８は、アルミ押し出し形材で形成された下部補強材であって、該下部補強材１８は、離間対設する起立辺１８ｂ，１８ｂと、該起立辺１８ｂ，１８ｂの先端部同士を連結した連結辺１８ｃと、起立辺１８ｂ，１８ｂの基端側をそれぞれ外方に折曲形成した取付辺１８ａ，１８ａとで断面略コ字状の長尺材に形成されており、この下部補強材１８は、通行用空間部８の下端部と下端パネル体１ａを構成するボトム材１ｄ下端との間に取付辺１８ａ，１８ａを複数個のリベット２１で内面板１ｂに固定することにより左右方向に向けて取り付けられている。また、下部補強材１８は、その長手方向両端側が、左右ガイドレール４に当接しない長さに設定されていることは上記した上部補強材１４と同様である。
１９は、ボトム材１ｄの内部空間に取り付けられた補助補強材でり、該補助補強材１９は、強度的観点に基づいて必要に応じて設けられるものである。
尚、２０は、扉体７の下端と沓摺り部材１ｇの上端とにそれぞれ一対の検知部２０ａを接近対向状に取り付けた近接スイッチであり、開閉体１の閉鎖時において、扉体７が完全に閉鎖している場合には開閉体１の上方への開放動を許容するが、扉体７の開放状態では一対の検知部２０ａ同士の信号が絶たれることにより開閉体１の移動を規制して安全性を確保するように構成されている。
【００１６】
叙述の如く構成された開閉体１は、通行用空間部８の上端部が形成されるパネル体１ａの上方部位と通行用空間部８の下端部が形成されるパネル体１ａの下方部位に、断面略コ字状の上部補強材１４と下部補強材１８を横設するのみで空間部を形成した部位での耐風圧強度を確保することができ、強風を受けた際の開閉体の破損を防止することが出来る。また、補強材は上述した二箇所に設ければよいので、開閉体の重量増加が最小限に抑えられ、開閉操作力に及ぼす影響を極めて少なくすることが出来る。
【図面の簡単な説明】
【００１７】
【図１】本発明に係る潜り戸付き開閉装置の内観側正面図である。
【図２】同上の側面図である。
【図３】潜り戸の開放状態を示すＸ−Ｘ断面図である。
【図４】図１のＡ−Ａ部を示す拡大図である。
【図５】（Ａ）は、図４の拡大縦断面である。            （Ｂ）は、上部補強材の他例を示す断面図である。
【図６】図１のＢ−Ｂ部を示す拡大図である。
【図７】図６のＹ−Ｙ拡大縦断面図である。
【図８】図６のＺ−Ｚ拡大縦断面図である。
【符号の説明】
【００１８】
１    開閉体
１ａ  パネル体  
１ｄ  ボトム材
４    ガイドレール
７    扉体（潜り戸）
８    通行用空間部
１４    上部補強材
１８    下部補強材
１９    補助補強材
２０    近接スイッチ    
【図１】
2010031611.tif 000003
【図２】
2010031611.tif 000004
【図３】
2010031611.tif 000005
【図４】
2010031611.tif 000006
【図５】
2010031611.tif 000007
【図６】
2010031611.tif 000008
【図７】
2010031611.tif 000009
【図８】
2010031611.tif 000010